(57)【要約】【課題】安全性が高く、落ち着いた睡眠空間及び休息空間を提供することができ、さらにモビールを容易に設置することができる乳児用ベッドを提供する。【解決手段】乳児が横になることができる面積を有し、各コーナーに固定具Ｂが設置された長方形形状による底布１０と、底布１０の短辺側の端部、長辺側の端部に１辺がそれぞれ接続されて、水平又は垂直に保持されるクッション２０と、底布１０上に載置されるマットレス３０と、固定具Ｂに両端が着脱可能に接続されて撓んだ状態で、互いにエックス字型に交差接続された一対の弾性ポール４０とを備える。一対の弾性ポール４０は、弾性棒と、弾性棒を包む緩衝部材と、緩衝部材を包んで保護する布地とそれぞれを備え、一対の弾性ポールの交差地点において、一方には結束環が設けられ、他方には結束紐が設けられる。【選択図】図１
0003185097.tif 000002
【実用新案登録請求の範囲】
【請求項１】
乳児が横になることができる面積を有し、各コーナーに固定具が設置された長方形形状による底布と、
前記底布の短辺側の端部、長辺側の端部に１辺がそれぞれ接続されて、水平又は垂直に保持されるクッションと、
前記底布上に載置されるマットレスと、
前記固定具に両端が着脱可能に接続されて、撓んだ状態で互いにエックス字型に交差接続された一対の弾性ポールとを備え、
前記一対の弾性ポールは、
弾性棒と、前記弾性棒を包む緩衝部材と、前記緩衝部材を包んで保護する布地とそれぞれを備え、
前記一対の弾性ポールの交差地点において、一方には結束環が設けられ、他方には結束紐が設けられた
乳児用ベッド。
【請求項２】
乳児が横になることができる面積を有し、各コーナーに固定具が設置された長方形形状による底布と、
前記底布の短辺側の端部、長辺側の端部に１辺がそれぞれ接続されて、水平又は垂直に保持されるクッションと、
前記底布上に載置されるマットレスと、
前記固定具に両端が着脱可能に接続されて、撓んだ状態で互いにエックス字型に交差接続された一対の弾性ポールと、
内側に設けられた結束紐により前記弾性ポールに接続されて、前記弾性ポールを上方より覆う覆いとを備え、
前記覆いの下側端と前記クッションの上側端との間に開放口が形成されている
乳児用ベッド。
【請求項３】
前記覆いは、下側端に沿って多数の装飾布が設けられている
請求項２に記載の乳児用ベッド。
【請求項４】
前記クッションは、前記底布とジッパーにより接続される
請求項１又は請求項２に記載の乳児用ベッド。
【請求項５】
前記クッションは、両側に設けられたジッパーにより隣接するクッションが着脱可能に接続される
請求項１又は請求項２に記載の乳児用ベッド。
【請求項６】
前記クッションは、両側上部に連結紐が設けられている
請求項５に記載の乳児用ベッド。
【請求項７】
前記弾性ポールは、複数個の装飾環が設けられた
請求項１又は請求項２に記載の乳児用ベッド。
【考案の詳細な説明】
【技術分野】
【０００１】
本考案は、乳児のためのベッドに関し、より詳しくは、安全性が高く、落ち着いた睡眠空間及び休息空間を提供する乳児用ベッドであって、モビール等の設置が可能な乳児用ベッドに関する。
【背景技術】
【０００２】
従来、乳児を安全かつ安心して休息、睡眠させる空間としての乳児用ベッドの工夫が特許文献１、２等に開示されている。このような乳児用ベッドは、概ね、木材枠により骨組が形成され、この骨組の内部に設けられた床板上にマットレスを敷いて使用される。しかしながらこのような乳児用ベッドは、乳児が寝返りしたり転がったりした場合、ベッドの欄干にぶつかって乳児が負傷する恐れがある。またベッドの欄干に捕まり立ちしてベッドより落下する恐れもある。これらにより従来のベッドは、安全性の点で実用上未だ不十分な問題がある。
【０００３】
また当然のことながらこの種のベッドは、乳児に落ち着いた睡眠空間、休息空間を提供することが求められる。またモビールは、乳児の視覚発達及び興味誘発に寄与するとされていることにより、このようなモビールにあっても、簡易に設置できることが望まれる。
【先行技術文献】
【特許文献】
【０００４】
【特許文献１】特開２０１２−１１１９１号公報
【特許文献２】特開２０１１−８３３１１号公報
【考案の概要】
【考案が解決しようとする課題】
【０００５】
本考案は、以上の点を考慮してなされたもので、安全性が高く、落ち着いた睡眠空間及び休息空間を提供することができ、さらにモビールを容易に設置することができる乳児用ベッドを提供することを目的とする。
【課題を解決するための手段】
【０００６】
本考案者らは、周囲をクッション材により囲んで床に配置可能に構成し、さらに緩衝部材を設けた弾性ポールを配置してモビール、覆いを設置可能とするとの着想を見出し、本考案を完成するに至った。
【０００７】
（１）  乳児が横になることができる面積を有し、各コーナーに固定具が設置された長方形形状による底布と、
前記底布の短辺側の端部、長辺側の端部に１辺がそれぞれ接続されて、水平又は垂直に保持されるクッションと、
前記底布上に載置されるマットレスと、
前記固定具に両端が着脱可能に接続されて、撓んだ状態で互いにエックス字型に交差接続された一対の弾性ポールとを備え、
前記一対の弾性ポールは、
弾性棒と、前記弾性棒を包む緩衝部材と、前記緩衝部材を包んで保護する布地とそれぞれを備え、
前記一対の弾性ポールの交差地点において、一方には結束環が設けられ、他方には結束紐が設けられる。
【０００８】
（１）によれば、底布上に載置されたマットレスを壁のようにクッションで囲んで乳児の睡眠空間及び休息空間を提供することができ、これにより従来に比して各段的に安全性を向上することができる。また交差した弾性ポールの配置により、この弾性ポールを利用してモビールを設置することができ、これによりモビールを容易に設置することができる。また弾性ポールを利用して覆いを設けることもでき、これにより落ち着いた睡眠空間及び休息空間を提供することができる。また弾性ポールにあっては、緩衝部材、緩衝部材を包んで保護する布地を備えることにより、安全性を確保することができる。
【０００９】
（２）  乳児が横になることができる面積を有し、各コーナーに固定具が設置された長方形形状による底布と、
前記底布の短辺側の端部、長辺側の端部に１辺がそれぞれ接続されて、水平又は垂直に保持されるクッションと、
前記底布上に載置されるマットレスと、
前記固定具に両端が着脱可能に接続されて、撓んだ状態で互いにエックス字型に交差接続された一対の弾性ポールと、
内側に設けられた結束紐により前記弾性ポールに接続されて、前記弾性ポールを上方より覆う覆いとを備え、
前記覆いの下側端と前記クッションの上側端との間に開放口が形成されている。
【００１０】
（２）によれば、底布上に載置されたマットレスを壁のようにクッションで囲んで乳児の睡眠空間及び休息空間を提供することができ、これにより従来に比して各段的に安全性を向上することができる。また交差した弾性ポールの配置により、この弾性ポールを利用してモビールを設置することができ、これによりモビールを容易に設置することができる。また覆いにより落ち着いた睡眠空間及び休息空間を提供することができる。またこの覆いに係る開放口により、乳児を目視により確認することができ、これによって安全性を確保することができる。
【００１１】
（３）  （２）において、覆いは、下側端に沿って多数の装飾布が設けられている。
【００１２】
（３）によれば、装飾布により装飾美と外観上の美麗さを惹起することができる。
【００１３】
（４）  （１）又は（２）において、前記クッションは、前記底布とジッパーにより接続される。
【００１４】
（４）によれば、接続作業等を簡略かつ確実に実行することができ、またこのような接続を簡易に解除することができる。
【００１５】
（５）  （１）又は（２）において、前記クッションは、両側に設けられたジッパーにより隣接するクッションが着脱可能に接続される。
【００１６】
（５）によれば、ジッパーによる簡易な接続によりクッションを垂直に保持することができ、またこのような接続を簡易に解除することができる。
【００１７】
（６）  （５）において、前記クッションは、両側上部に連結紐が設けられている。
【００１８】
（６）によれば、隣接するクッションの接続をより強固なものとすることができる。
【００１９】
（７）  （１）又は（２）において、前記弾性ポールは、複数個の装飾環が設けられた。
【００２０】
（７）によれば、装飾環の利用によりモビールの配置等を簡略化することができる。
【考案の効果】
【００２１】
本考案によれば、安全性が高く、落ち着いた睡眠空間及び休息空間を提供することができ、さらにモビールを容易に設置することができる。
【図面の簡単な説明】
【００２２】
【図１】本考案の実施例による乳児用ベッドの分離斜視図である。
【図２】図１の乳児用ベッドの斜視図である。
【図３】図１の乳児用ベッドにおいて底布にクッションが接続された状態を示す平面である。
【図４】図１の乳児用ベッドのクッションを示す斜視図である。
【図５】図１の乳児用ベッドにおいて隣接するクッションが接続された状態を示す斜視図である。
【図６】図１の乳児用ベッドにおいてクッションが底布及び隣接するクッションに接続された状態を示す平面図である。
【図７】図１の乳児用ベッドの弾性ポールを示す断面図である。
【図８】本考案の他の実施例による乳児用ベッドを示す分解斜視図である。
【図９】図８の乳児用ベッドの正面図である。
【図１０】図８の乳児用ベッドの覆いを示す平面図である。
【図１１】図８の乳児用ベッドにおいて覆いを弾性ポールに接続した状態を示す斜視図である。
【考案を実施するための形態】
【００２３】
以下、図面を参照しながら本考案の実施形態について詳述する。
【００２４】
図１は、本考案に係る乳児用ベッドの分離斜視図である。乳児用ベッド１は、乳児が横になることができる面積を有し、長方形形状による底布１０、この底布１０の短辺側の端部、長辺側の端部（前・後・左・右の縁）にそれぞれ１辺を接続して水平に横たえられたり、垂直に立てられたりして保持されるクッション２０、底布１０上に載置されるマットレス３０、底布１０の対角線の各コーナーに両端がそれぞれ固定具により着脱可能に固定されて、撓んだ状態で互いにエックス字型に交差するように保持される一対の弾性ポール４０を含んでなる。また底布１０に弾性ポール４０を固定する固定具には、バックルＢが適用される。
【００２５】
底布１０は、図１及び図６に図示されたように、乳児が横になることができる面積を有し、各コーナーに固定バックルＢが設置されて長方形形状により構成される。底布１０は、乳児が横になることができる面積を有するように構成されるのはもちろん、乳児が休息したり、遊びにより這ったり歩いたりする活動に制約を与えず、さらに乳児の世話をする保護者が乳児と共に横になることができるように、ある程度余分の面積を有するように構成されることが望ましい。
【００２６】
さらに底布１０は、ベッド１を使用しない時に、簡便に畳んで保管することができるように、厚さが薄い布地で構成される。また図３に図示されたように、クッション２０の１辺を底布１０の短辺側の端部、長辺側の端部にそれぞれ着脱可能に接続することができるように、底布１０の短辺側の端部、長辺側の端部には、それぞれジッパーＺが設けられる。なお底布１０とクッション２０との接続には、ジッパーＺに限らず、例えば紐等、各種の接続手段を広く適用することができる。
【００２７】
クッション２０は、図１、図３及び図４に図示されたように、底布１０の短辺側の端部、長辺側の端部にそれぞれ１辺が接続され、底布１０に接続されたまま水平に横たえられたり、垂直に立てられることができるように構成される。
【００２８】
ここで、クッション２０は、底布１０の短辺側の端部、長辺側の端部にそれぞれ接続されるが、図３に図示されたように、この接続にはそれぞれジッパーＺが使用される。このようにクッション２０を底布１０の縁にそれぞれジッパーＺで接続することにより、底布１０にクッション２０を簡便に接続することができ、乳児用ベッド１を洗濯しようとする時には、底布１０からクッション２０を容易に分離して洗濯することができ、さらには乳児用ベッド１を保管しようとする時には、底布１０からクッション２０を容易に分離して保管の便宜性を高めることができる。
【００２９】
さらにクッション２０は、図３ないし図６に図示されたように、底布１０と接続される１辺の両側にもジッパーＺが設けられ、このジッパーＺにより隣接するクッション２０同士が分離可能に接続される。このように底布１０の短辺側の端部、長辺側の端部にクッション２０をそれぞれ接続させた後、クッション２０の両側に形成されたジッパーＺで隣接しているクッション２０同士を接続することにより、底布１０の短辺側の端部、長辺側の端部に接続されたクッション２０の全てを垂直に立てることができ、その結果、周辺と独立した乳児用ベッド１の空間を形成することができる。
【００３０】
さらにクッション２０は、締結されたジッパーＺを解除して隣接したクッション２０を分離することにより、図４ａに図示されたように、乳児用ベッド１に乳児が出入りする空間を形成することができ、また図４ｂに図示されたように、周辺空間と乳児用ベッド１の内部空間が互いに繋がって空間の活用度を増大させることができ、さらには図４ｃに図示されたように、クッション２０を底布１０及び隣接したクッション２０から完全に分離して一般的なクッションとしても使用することができ、これらによりクッション２０の利用効率を増加させることができる。
【００３１】
さらにクッション２０は、図５に図示されたように、両側上部に連結紐２１が設けられる。このようにすればジッパーＺを締結して隣接したクッション２０同士を互いに接続してクッション２０を垂直に立てた状態で、連結紐２１同志を互いに結ぶことによって、底布１０の短辺側の端部、長辺側の端部でクッション２０が垂直に立てられた状態がさらに強固に維持することができる。
【００３２】
さらに、クッション２０は、図６に図示されたように、クッション２０の内部を閉じたり開いたりするジッパーＺが下側端部に設けられ、このジッパーＺの操作によりクッション２０の内部に備えられた緩衝手段（綿またはスポンジ等により構成される）を手軽に取り出すことができ、これによりクッション２０の洗濯等の利便を図ることができる。
【００３３】
マットレス３０は、図１及び図２に図示されたように、底布１０上に載置した際に、マットレス３０の縁及び角が底布１０の短辺側の端部、長辺側の端部に接続されたクッション２０に密着するように形成される。このようにマットレス３０がクッション２０に密着するように底布１０に載置されることによって、固定バックルＢとジッパーＺが露出しないようにすることができ、その結果、乳児用ベッド１で乳児が就寝したり、休息したり、遊んでいるときに、固定バックルＢ及びジッパーＺと乳児との接触を防止し、乳児の負傷を防止することができる。
【００３４】
弾性ポール４０は、図１及び図２に図示されたように、底布１０の対角線の各コーナーに設けられた固定バックルＢに両端が接続されて、撓んだ状態で互いにエックス字型に交差するように保持される。より詳細に、弾性ポール４０は、両端に備えられた固定バックルＢが底布１０に設置された固定バックルＢに着脱可能に接続されて撓んだ状態で互いにエックス字型に交差するように配置される。
【００３５】
ここで弾性ポール４０は、図７に図示されたように、弾性を有するプラスチック等の弾性棒４１と、この弾性棒４１を包むスポンジ等の緩衝部材４２と、この緩衝部材４２を包んで保護する布地４３からなる。このように緩衝部材４２を設けて布地４３を設けることにより、乳児用ベッド１内部で乳児が活動中に弾性ポール４０と接触した際の負傷を防止することができる。またさらに弾性ポール４０の重量を軽減し、さらに底布１０から取り外して直線的な棒形状となる復元力を増大させて、設置及び保管を容易とすることができる。
【００３６】
さらに弾性ポール４０は、図７及び図１１に図示されたように、一対の弾性ポール４０の交差地点において、一方の弾性ポール４０にリング形状の部材である結束環４４が設けられ、他方の弾性ポール４０には結束用の紐である結束紐４５が設けられる。これにより互いに交差するように固定バックルＢによって一対の弾性ポール４０を底布１０に接続した後、弾性ポール４０の交差地点で結束環４４に結束紐４５を挿通して結束環４４に結束紐４５を縛り付けることにより、一対の弾性ポール４０が互いに交差して接続した状態を堅固に維持させることができる。
【００３７】
さらに弾性ポール４０には、図７及び図１１に図示されたように、複数個の装飾環４６が一定の間隔で設けられる。ここで装飾環４６は、リング形状の部材である。これによりベッド１は、装飾環４６を選択的に使用して多様な形態のモビールＭを簡易に設置することができ、その結果、マットレス３０上に横になっている乳児は、動くモビールＭを見て興味を誘発し、目を活発に動かすことよって、視覚を発達させることができる。
【００３８】
図８に図示されたように、本考案の他の実施形態による乳児用ベッド１は、弾性ポール４０に接続されて弾性ポール４０を覆うことができる覆い５０をさらに含んでなる。覆い５０は、図１０に図示されたように、内側と下側に複数個の結合紐５１が設けられる。ここで結合紐５１は、中央部分が覆い５０に縫い付けられた帯材であり、弾性ポール４０にそれぞれ結び付けることにより、弾性ポール４０を覆うように配置して移動しないように保持される。
【００３９】
この覆い５０により、乳児用ベッド１を保持してなる室内照明を充分に明るく設定しても、乳児が乳児用ベッド１内部で就寝したり、休息したり、さらには遊んでいる際に、この室内照明を遮光して安らぎのある空間を形成することができる。なお図９に図示されたように、弾性ポール４０を覆った状態で覆い５０の下端とクッション２０間を開放する開放口Ｈが形成される。この開放口Ｈにより、乳児用ベッド１内部で就寝したり、休息したり、遊んでいる乳児の呼吸に係る喚起を妨げることなく、さらにはこのような乳児の様子を外部から容易に確認することができる。
【００４０】
さらに覆い５０は、図８ないし図１０に図示されたように、覆い５０の周りに沿って多数の装飾布５２が形成される。これにより覆い５０で弾性ポール４０を覆った時、装飾美と外観上の美麗さを惹起することができる。
【００４１】
なお覆い５０の下端とクッション２０間の開放口Ｈを囲む防虫網（図示なし）を設置してもよく、これにより蚊等の害虫から乳児を保護することができる。
【００４２】
以下、本考案による乳児用ベッド１の組立て方法について簡単に説明する。まず乳児用ベッド１の設置場所に底布１０を敷き、底布１０の短辺側の端部、長辺側の端部でそれぞれのジッパーＺを締結してクッション２０を接続した後、さらにクッション２０の両側のジッパーＺを締結して隣接したクッション２０同士を接続してクッション２０を垂直に立てる。
【００４３】
次に、クッション２０により囲まれた底布１０上にマットレス３０を載置した後、一対の弾性ポール４０が互いに交差するように、底布１０の対角線のコーナーに備えられた固定バックルＢに弾性ポール４０の両端を接続し、弾性ポール４０の交差地点に形成された結束環４４に結束紐４５を挿通して結束環４４に結束紐４５を結び付ける。続いて弾性ポール４０に形成された装飾環４６にモビールＭを設置する。また必要に応じて、覆い５０を設ける。
【００４４】
この乳児用ベッドは、周囲をマットレス３０により囲った空間を睡眠空間及び休息空間として提供できることにより、さらには衝部材等を備えた弾性ポールを使用して覆い５０、モビールを配置することにより、従来に比して各段的に安全性を向上して、落ち着いた睡眠空間及び休息空間を提供することができる。またさらモビール等の簡易に設置することができる。
【００４５】
以上、本考案の実施に好適な具体的な構成を詳述したが、本考案は、本考案の趣旨を逸脱しない範囲で、上述の実施形態の構成を種々に変更することができる。
【符号の説明】
【００４６】
１：乳児用ベッド
１０：底布
２０：クッション
２１：連結紐
３０：マットレス
４０：弾性ポール
４１：弾性棒
４２：緩衝部材
４３：布地
４４：結束環
４５：結束紐
４６：装飾環
５０：覆い
５１：結合紐
５２：装飾布
Ｂ：固定バックル
Ｈ：開放口
Ｍ：モビール
Ｚ：ジッパー
【図１】
0003185097.tif 000003
【図２】
0003185097.tif 000004
【図３】
0003185097.tif 000005
【図４】
0003185097.tif 000006
【図５】
0003185097.tif 000007
【図６】
0003185097.tif 000008
【図７】
0003185097.tif 000009
【図８】
0003185097.tif 000010
【図９】
0003185097.tif 000011
【図１０】
0003185097.tif 000012
【図１１】
0003185097.tif 000013